(57)【要約】【課題】踵接触面をトウ側部より上方傾斜させた高ヒール部を備えるシューズやサンダルにおいて、着地時の安定性を向上させると共に、着地の際の衝撃を緩和する。【解決手段】靴底のトウ側からヒール側へと延在する長さ方向の中間部でヒール側部を上ヒール部と下ヒール部に分岐させ、下ヒール部の底面をトウ側の底面と連続した接地面とし、上ヒール部はトウ側より所要角度で上方傾斜させ、前記上ヒール部底面と下ヒール部上面との間の空間には、上下ヒール部の分岐位置からヒール側先端に向けた所要位置まで足幅方向の中心部に上ヒール部底面と下ヒール部上面とを連結するブリッジを設けている。【選択図】図２
2007222380.tif 000002
【特許請求の範囲】
【請求項１】
シューズあるいはサンダルの靴底構造であって、
靴底のトウ側からヒール側へと延在する長さ方向の中間部より、ヒール側部が上ヒール部と下ヒール部に分岐し、下ヒール部の底面をトウ側の底面と連続した広幅の接地面とする一方、上ヒール部はトウ側より所要角度で上方傾斜させ、前記上ヒール部底面と下ヒール部上面との間に空間を設け、
前記空間には、上下ヒール部の分岐位置からヒール側先端に向けた所要位置まで、足幅方向の中心部に上ヒール部底面と下ヒール部上面とを連結するブリッジを設けていることを特徴とする靴底構造。
【請求項２】
前記上下ヒール部のヒール側先端を前記空間をあけて分離し、該空間を上ヒール部に対する衝撃吸収部として機能させる構成としている請求項１に記載の靴底構造。
【請求項３】
前記ブリッジの設置位置は、前記分岐位置から上ヒール部のヒール側先端位置までの全長の１／４以上３／４以下の範囲としている請求項１または請求項２に記載の靴底構造。
【請求項４】
前記ブリッジは分岐位置側では幅方向両側から突設すると共に、該ブリッジの先端側に向けて幅方向中心に次第に収斂させて、該ブリッジの水平断面を略二等辺三角形状としている請求項１乃至請求項３のいずれか１項に記載の靴底構造。
【請求項５】
前記ブリッジの先端は側面視で円弧状に窪ませたアーチ状とし、該アーチの上下両側からヒール先端側に延在するリブを設けている請求項１乃至請求項４のいずれか１項に記載の靴底構造。
【請求項６】
前記上下ヒール部のヒール側先端間を連結する第２ブリッジを設け、該第２ブリッジと前記分岐位置に連続して設ける前記ブリッジとの間に前記空間をあけている請求項１、３、４、５のいずれか１項に記載の靴底構造。
【請求項７】
前記第２ブリッジはトウ側へと湾曲するアーチ状として、前記上ヒール部に対する衝撃を吸収可能とする可撓性を持たせている請求項６に記載の靴底構造。
【請求項８】
前記下ヒール部の幅は上ヒール部の幅よりも小さくし、かつ、該下ヒール部の幅は分岐位置側の幅を最大幅とすると共に中間部にかけて幅を縮小し、該中間部よりヒール先端側を拡大させ、該ヒール先端側の幅は１５ｍｍ〜４０ｍｍの範囲としている請求項１乃至請求項７のいずれか１項に記載の靴底構造。
【請求項９】
前記上下ヒール部の分岐位置は、足裏の土踏まず対応位置のトウ側端に設定している請求項１乃至請求項８のいずれか１項に記載の靴底構造。
【請求項１０】
前記上ヒール部の上面は中央部が凹む円弧状としている請求項１乃至請求項９のいずれか１項に記載の靴底構造。
【請求項１１】
前記トウ側部および該トウ側部から分岐する上下ヒール部からなるヒール側部を含む靴底材を、樹脂からなる一体成形品としている請求項１乃至請求項１０のいずれか１項に記載の靴底構造。
【請求項１２】
前記樹脂は熱可塑性樹脂からなる請求項１１に記載の靴底構造。
【発明の詳細な説明】
【技術分野】
【０００１】
本発明はシューズやサンダルの靴底構造に関し、詳しくは、ヒール部の踵接触面である上面を接地面の下面より高くした高ヒールの靴底において、安定した歩行と足にかかる負担を低減するものである。
なお、本発明において「高ヒール」とは、高さ約５．５センチ以上の所謂ハイヒール、高さ約４〜５．５センチの中ヒール、高さ約３〜４センチのローヒールを含めて、踵接触面が上方傾斜して接地面より高くした場合を高ヒールと称す。
【背景技術】
【０００２】
サンダルあるいはパンプス等の婦人靴は履き心地や歩きやすさよりも、デザイン性や見栄えを重視するため、高ヒール構造の場合、ヒール部の下面に固定するヒールグリップは接地面に向けて細幅としており、ハイヒールではヒールグリップの接地面を極端に小さくしたピンヒール状のものも多い。
このように、接地面積を小さくした場合、歩行時における着地が不安定になり、足に負担がかかると共に、ピン状の接地部がマンホールや溝蓋の穴や溝、地面の凹部、さらには、タイルやレンガ貼りの床面の目地に引っ掛かり、つまずいたりころぶ等の危険性がある。特に、ハイヒールでヒールグリップをピンヒールとした場合に、前記傾向が顕著になる。
【０００３】
靴底を着地時の衝撃を吸収する構造としたものに関しては、運動靴に関しては従来より種々提案されている。例えば、特表２００１−５０１１２３号公報（特許文献１）では、図７に示すように、上部ヒール部４と下部ヒール部５の間にはスプリングハウジング６が設けられ、該スプリングハウジング６内には圧縮スプリング７を設け、該圧縮スプリング７が圧縮することにより衝撃を吸収させている。
しかしながら、前記靴底構造では、上下ヒール部の間にスプリングハウジング６を設けて、その内部に圧縮スプリング７を設ける必要があり、デザイン性を重視するサンダルやパンプスからなる婦人靴に適用するには不適である。また、部品点数が多くなり、作業工数も多くなるため、コスト高となる問題がある。
【０００４】
高ヒール構造の婦人靴において、接地面の面積を考慮したものとしては、特開２００４−１２１７６５号公報（特許文献２）のシューズが提供されている。該シューズは図８（Ａ）（Ｂ）に示すように、ヒールの高さをハイヒール１とローヒール２とに切り替える機構を付与している。即ち、ハイヒール１をローヒール２に切り替える際はヒール３をつま先方向に１８０度折りたたんだ状態で安全ロックピン２により固定し、ヒール３の側面３ａを地面との接地面としている。このローヒール状態では地面との接地面が大きくなることで、自動車の運転操作が安全に行えると共に、階段の昇降も安全となると記載されている。
【０００５】
しかしながら、前記特許文献２は安定性を重視して折り畳んでローヒールとするのは特殊な使用状態であり、ローヒールとした場合にヒールの側面３ａが靴底になるため、該側面３ａにキズが発生しやすく、ハイヒールにした場合に側面３ａのキズが非常に目立ち見栄えが悪い。よって、靴底とした場合にキズを発生させない素材を用いる必要があるが、素材の選択が難しい。かつ、通常使用時はハイヒール１の状態であるため、衝撃吸収性や安全性の点で問題は解決されていない。
【０００６】
【特許文献１】特表２００１−５０１１２３号公報
【特許文献２】特開２００４−１２１７６５号公報
【発明の開示】
【発明が解決しようとする課題】
【０００７】
本発明は、前記問題に鑑みてなされたものであり、高ヒール構造とした靴底において、着地の際の衝撃を緩和して足への負担を軽減すると共に、接地面の凹部につまずかない安定性を付与し、しかも、デザイン的にも見栄えが良い靴底構造を提供することを課題としている。
【課題を解決するための手段】
【０００８】
前記課題を解決するために、本発明は、シューズあるいはサンダルの靴底構造であって、
靴底のトウ側からヒール側へと延在する長さ方向の中間部より、ヒール側部が上ヒール部と下ヒール部に分岐し、下ヒール部の底面をトウ側の底面と連続した広幅の接地面とする一方、上ヒール部はトウ側より所要角度で上方傾斜させ、前記上ヒール部底面と下ヒール部上面との間に空間を設け、
前記空間には、上下ヒール部の分岐位置からヒール側先端に向けた所要位置まで、足幅方向の中心部に上ヒール部底面と下ヒール部上面とを連結するブリッジを設けていることを特徴とする靴底構造を提供している。
【０００９】
従来の高ヒール構造では、靴底はトウ側と連続するヒール側の全体を地面から傾斜させて浮かせヒール側先端に別体の接地面に向けて細幅としたヒールグリップを取り付け、接地側にはトウ側とヒール側端との間に空間を設けているが、本発明では、前記のように、ヒール側部にトウ側部と連続する下ヒール部を設けて接地面を安定させている。
なお、トウ側部と連続する下ヒール部の底面は、トウ側底面に直線状に連続して下ヒール部の全面が接地面となる場合と、トウ側連結部からヒール先端にかけた中間部において下ヒール部の底面の一部が上方へ窪んで非接地面となる場合とを含む。
このように、トウ側の接地面と連続する下ヒール部を設け、かつ、ヒール端側を比較的幅広としているため、従来のサンダルあるいはパンプス等と接地面側に向けて細幅となるヒールグリップを取り付けた場合、特に、ピンヒール状としている場合と比べて、前後・左右方向の接地幅が広くとれ、着地安定性を付与することができる。
よって、足にかかる負担もすくなくなり、かつ、下ヒール部のヒール先端側が接地面の小さな穴や溝に入ることがなく、つまずいたり、こけたりすることを抑制でき、安全に歩行、さらには走行も行える。
また、上ヒール部は下ヒール部と分離しているが、分岐位置から前記ブリッジを設けていることで、デザイン性を損なうことなく、ヒール側部の強度を増すことができる。
【００１０】
前記上下ヒール部のヒール側先端を前記空間をあけて分離し、該空間を上ヒール部に対する衝撃吸収部として機能させる構成とするのが好ましい。
即ち、トウ側から上下に分離した上下ヒール部は分岐位置で前記ブリッジにより連結しているだけで、ヒール側先端では上下ヒール部の間に大きな空間をあけている。該空間は上ヒール部が下方へ撓むことができる衝撃吸収用空間となり、足の踵が接触する上ヒール部が撓むことで、着地時の衝撃を吸収でき、足に負担がかからず歩き心地を改善することができる。
【００１１】
前記ブリッジの設置位置は、前記分岐位置から上ヒール部のヒール側先端位置までの全長の１／４以上３／４以下の範囲としていることが好ましい。
また、該ブリッジは分岐位置側では幅方向両側から突設すると共に、該ブリッジの先端側に向けて幅方向中心に次第に収斂させて、該ブリッジの水平断面を略二等辺三角形状とするが好ましい。
前記形状のブリッジを設けることで、左右方向の揺れや動きに対して上ヒール部の強度を増し、着地時の安定性を高めることができると共に、外観上も安定感を付与することができる。
また、ブリッジは幅方向の中心に向けて次第に収斂させて横断面を略二等辺三角形状とし、その先端側を尖らせてシャープなデザインとすると、従来のサンダル、パンプス等のヒール部に対してデザイン性および見栄えの点でも劣ることなく、斬新なデザインとすることができる。なお、ブリッジの先端は必ずしも尖ったシャープな形状とする必要はなく、先端全体にアールを設けても良いし、下ヒール部あるいは／および上ヒール部との連続部分にアールを設けて、その間はシャープな形状としてもよい。
さらにまた、ブリッジの左右側面は比較的目立つため、この左右側面の着色で模様を施したり、装飾品を取り付ける等して、よりデザイン性を高めることもできる。
【００１２】
前記ブリッジの先端は側面視で円弧状に窪ませたアーチ状とし、該アーチの上下両側からヒール先端側に延在するリブを設けていることが好ましい。
前記構成とすると、ブリッジの長さを短くしても、該ブリッジの先端から上ヒール部の下面および下ヒール部の上面でヒール先端側へ向かうリブを設けているため、上下ヒール部の連結強度を増すことができ、特に、大きな空間を挟んで上下に分離したヒール先端側の強度を増すことができる。よって、上ヒール部に大きな負荷がかかっても破損の発生を防止できる。かつ、外観上もより安定感を付与することができる。
【００１３】
前記上下ヒール部のヒール側先端間を連結する第２ブリッジを設け、該第２ブリッジと前記分岐位置に連続して設ける前記ブリッジとの間に前記空間をあけてもよい。
特に、第２ブリッジを設ける場合は、分岐位置に設けるブリッジを第１ブリッジとし、該第１ブリッジと同様なトウ側に湾曲するアーチ状とすると、ダブルアーチ状とすることが好ましい。
【００１４】
このように、ヒール先端側にアーチ状の第２ブリッジを設けると、該第２ブリッジは従来のヒールグリップと非常に異なる形状であり、かつ、第１ブリッジとでダブルアーチ状を呈するため、デザイン的に非常に斬新なものとすることができる。
かつ、ヒール先端側の第２ブリッジをアーチ状とすることで、該第２ブリッジも撓ませることができ、上下ヒール部のヒール先端側を第２ブリッジで連結していても衝撃吸収性を保持することができる。かつ、可撓性を有する第２ブリッジを設けることで、着地時の負荷に対して、第１ブリッジと第２ブリッジとが両方撓んで衝撃を吸収するため、着地時の足への負担をより軽減できると共に、負荷に対する強度が増し、安定した歩行、走行を実現できる。
【００１５】
前記下ヒール部の幅は上ヒール部の幅よりも小さくし、かつ、該下ヒール部の幅は分岐位置側の幅を最大幅とすると共に中間部にかけて幅を縮小し、該中間部よりヒール先端側を拡大させ、該ヒール先端側の幅は１５ｍｍ〜４０ｍｍの範囲とするのが好ましい。
前記のように、ヒール先端側の幅は１５ｍｍ〜４０ｍｍと比較的幅広とすることで、ヒール先端側の接地面積が大きくなり、接地面の凹部にヒール側接地部が入りこんで、つまずいたり、こけたりすることを確実に防止でき、安全に歩行、走行をすることができる。なお、ヒール先端側の下面にはゴム板等の弾性材を取り付けることがより好ましい。
【００１６】
前記上下ヒール部の分岐位置は、足裏の土踏まず対応位置のトウ側端に設定するのが好ましい。
また、前記上ヒール部の上面は中央部が凹む円弧状としているのが好ましい。
このように、上ヒール部の上面中央部を凹ませることで、足の踵裏の形状に沿わせることができ、履き心地が良くすることができる。
【００１７】
前記トウ側部および該トウ側部から分岐する上下ヒール部からなるヒール側部を含む靴底材を、
可撓性を有する硬質樹脂からなる一体成形品としているのが好ましい。
このように一体成形品とすることで、分離する上下ヒール部、特に、上ヒール部の強度を高めることができる。かつ、従来の別部品のヒールグリップを取り付ける場合と比べて、製造工程を簡略化することができる。部品点数を削減でき、コストを低下することができる。
【発明の効果】
【００１８】
前述したように、本発明によれば、ヒール側部にトウ側部と連続する下ヒール部を設けているので、従来のサンダルあるいはパンプス等と比べ、接地面積が広くなり、安定して歩行あるいは走行することができる。また、下ヒール部のヒール先端側が地面、マンホール、溝蓋等の小さな穴や溝、さらには、タイルやレンガ等の目地等に入りこんで抜けにくくなり、つまずいたり、転んだりすることを防止でき、安全に歩行、さらには走行することができる。
また、上ヒール部底面と下ヒール部上面とを連結するブリッジを設けることで、デザイン性を損なうことなく、ヒール側部の強度を増すことができる。
また、上下ヒール部の間に衝撃吸収用の空隙を設けているため、上ヒール部が下ヒール部側へと前記空間で撓むことで、着地時の衝撃を吸収するので、足に負担がかからず歩き心地がよくなる。
特に、上下ヒール部のヒール先端側を連結せずに空隙をあけたままとすると、衝撃吸収性能をより高めることができる。
【発明を実施するための最良の形態】
【００１９】
以下、本発明の実施形態を図面を参照して説明する。
図１乃至図４は本発明の第１実施形態を示す。
第１実施形態は、図１に示すようにサンダルのアッパー部２０と連結した靴底１０としている。
【００２０】
靴底１０は、図１および図２に示すように、トウ側先端からヒール側先端までの長さ方向の中間部を境界として、トウ側部１１の後端よりヒール側部１２を上下に分岐して上ヒール部１３と下ヒール部１４とを設け、上下ヒール部１３と１４との間に空間Ｓ１を設けている。
なお、前記トウ側部１１とは上下ヒール部１３、１４の分岐位置Ｐ１よりつま先先端までの領域Ｘ１を指し、前記ヒール側部１２とは分岐位置Ｐ１より踵先端までの領域Ｘ２を指す。
前記上下ヒール部１３、１４に分岐位置Ｐ１は図１に示すように、足裏の土踏まずＡと対向するつま先側の先端Ｐ２から垂線を下した位置としている。
【００２１】
前記分岐させた上ヒール部１３と下ヒール部１４との間の空間Ｓ１には、分岐位置Ｐ１より上ヒール部１３の底面と下ヒール部１４の上面に連結するブリッジ１５を設けている。
靴底１０はトウ側部１１、上下ヒール部１３、１４からなるヒール側部１２、および前記ブリッジ１５を含めて、靴底全体をポリカーボネート、ＡＢＳあるいはＥＶＡ等の振動吸収性に優れた熱可塑性樹脂で一体成形している。
【００２２】
上ヒール部１３は、分岐位置Ｐ１よりトウ側端に向けて所要角度で上方に傾斜させ、該上ヒール部１３の上面１３ｂをトウ側部１１の上面１１ｃに連続させて踵接触面としている。この踵接触面となる上面１１ｃには、図４（Ａ）に示すように、幅方向の中央が窪む円弧状とし踵に沿った形状としている。
一方、上ヒール部１３の底面１３ｃの分岐位置Ｐ１側は、前記ブリッジ１５の上側縁１５ａと連続させている。
【００２３】
下ヒール部１４は、その底面１４ｂをトウ側部１１の底面１１ｂに連続させ、土踏まずと対応する領域では若干湾曲させて窪ませた部分１４ｅを設け、ヒール側先端では厚さを大として、トウ側部１１の底面の最下端面と略同一高さとした下ヒール先端部１４ｄを設けている。該下ヒール先端部１４ｄの底面１４ｆを接地面となる。
図３（Ｂ）に示すように、下ヒール部１４の幅Ｌ１は上ヒール部１３の幅Ｌ２よりも小とし、前記分岐位置Ｐ１側の幅を下ヒール部１４の幅の最大幅として、前記中間部１４ｆにかけて幅を縮小している。該中間部１４ｆより下ヒール先端１４ａの幅を拡大させ下ヒール先端部１４ｄを形成している。前記下ヒール先端部１４ｄの幅は１５ｍｍ〜４０ｍｍの範囲としている。
【００２４】
前記下ヒール先端部１４ｄの後端（ヒール先端）１４ｇは、図１（Ａ）に示すように、足のかかと骨最下点Ｐ３から鉛直に下ろした垂線と接地面Ｇとの交点Ｐ４に配置されると共に、図１（Ｂ）に示すように、前記交点Ｐ４と第２指先端Ｐ５とを結ぶ線Ｌに、下ヒール先端部１４ｄの長手中心線を一致させて配置される。なお、下ヒール先端部１４ｄの底面を接地面としてもよいが、硬質樹脂製であるため、下ヒール先端部１４ｄの底面１４ｆにゴム板等の弾性材を接着固定することが好ましい。
【００２５】
図２および図３（Ａ）に示すように、前記ブリッジ１５は分岐位置Ｐ１に連続して、上ヒール部１３の底面１３ｃと下ヒール部１４の上面１４ｃとの間の空間Ｓ１に突出させて設けている。該ブリッジ１５は分岐位置Ｐ１から上下ヒール部先端１３ａ、１４ａに向けて形成し、その長さＬ３は、分岐位置Ｐ１から上ヒール部１３の上ヒール部先端１３ａまでの全長Ｌ４の１／４以上３／４以下の範囲としている。
【００２６】
ブリッジ１５は分岐位置Ｐ１で幅方向両側から突設すると共に、長さ方向の先端１５ｂ側に行くに従い幅方向中心に次第に収斂させ、かつ、ブリッジ１５の両側面１５ａを内方に湾曲させて括れた状態とし、図４（Ａ）（Ｂ）に示すように、ブリッジ１５を含むヒール側部１２は垂直断面で略Ｉ字形状とし、水平断面で略二等辺三角形としている。
また、ブリッジ１５の先端１５ｂは側面視で円弧状に窪ませたアーチ状とし、該先端１５ｂの上下両側縁に上ヒール部１３の底面１３ｃと下ヒール部１４の上面１４ｃに連続するリブ１５ｃを延在させて設けている。
【００２７】
前記した靴底１０の構成とすると、トウ側部１１と連続する下ヒール部１４を備えていると共に、下ヒール部１４の下ヒール先端部１４ｄを接地面としているので、ヒール側部１２の強度を増すことができ、さらに、下ヒール部１４がトウ側部１１から連続して設けられているので、下ヒール部１４が地面の小さな穴やマンホールの穴等に入ることがなく、安全に道路を歩行あるいは走行することができる。
さらに、上ヒール部１３に負荷がかかると上ヒール部１３が前記空間Ｓ１で撓むので、空間Ｓ１が衝撃吸収部として機能して着地時の衝撃を吸収するので、足に負担がかからず歩き心地がよくすることができる。
【００２８】
図５は本発明の第２実施形態のパンプスを示し、アッパー部２０’と連結した靴底１０の構造は第１実施形態のサンダルの靴底１０と同一形状で、同一の作用効果を有するものであるため、同一符号を付して説明を省略する。なお、第２実施形態のパンプスではブリッジ１５の先端１５ｂをシャープなエッジとせずに小さなアールを設け、かつ、両側面１５ａにストライプ模様１５ｚを付してデザインをより斬新なものとしている。
【００２９】
図６（Ａ）（Ｂ）は本発明の第３実施形態のサンダルあるいはパンプスの靴底構造を示す。
第３実施形態では、上ヒール部１３と下ヒール部１４の上下ヒール側先端１３ａ、１４ａ間を連結する第２ブリッジ１６を設け、該第２ブリッジ１６と前記分岐位置Ｐ１に連続して設ける前記ブリッジ１５との間に前記空間Ｓ１’をあけている。前記第２ブリッジ１６はトウ側部１１の方へと湾曲するアーチ状として、前記ブリッジ１５を第１ブリッジとすると、アーチ状のダブルブリッジを設けた形状としている。
他の構成は第１実施形態と同様であるため、同一符号を付して説明を省略する。
【００３０】
前記ダブルブリッジ構造とすると、ヒール側を上下に分離しているが、上ヒール部１３と下ヒール部１４とのヒール先端側を第２ブリッジ１６で連結していることにより、安定感を付与できると共に、第２ブリッジ１６もトウ側へ湾曲させたアーチ状としていることで、上ヒール部１３の可撓性を保持することができる。よって、着地時の負荷に対して、第１ブリッジとなる分岐位置のブリッジ１５と第２ブリッジ１６との両方が撓んで衝撃を吸収し、着地時の足への負担を軽減することができる。さらに、負荷に対する強度が増すので安定して歩行あるいは走行することができる。
【産業上の利用可能性】
【００３１】
本発明の靴底構造は、前記のように、サンダル、婦人用シューズのパンプスに好適に用いられるが、男性用のサンダルに適用しても足の負担を低減できる点より有効である。
【図面の簡単な説明】
【００３２】
【図１】本発明の第１実施形態のサンダルを示し、（Ａ）は斜視図、（Ｂ）は底面図である。
【図２】第１実施形態のサンダルの靴底の斜視図である。
【図３】（Ａ）は図２の靴底の側面図、（Ｂ）は底面図である
【図４】第１実施形態のブリッジの形状を示し、（Ａ）は図３（Ａ）のＡ−Ａ線断面図、（Ｂ）は図３（Ａ）のＢ−Ｂ線断面図である。
【図５】第２実施形態のパンプスの靴底とした場合の斜視図である。
【図６】第３実施形態を示し、（Ａ）は斜視図、（Ｂ）は側面図である。
【図７】従来例を示す図面である。
【図８】他の従来例を示し、（Ａ）はハイヒールを示す側面図、（Ｂ）はローヒールを示す側面図である。
【符号の説明】
【００３３】
１０  靴底
１１  トウ側部
１１ｂ  底面
１１ｃ  上面
１２  ヒール側部
１３  上ヒール部
１３ａ  上ヒール部先端
１３ｂ  上面
１３ｃ  底面
１４  下ヒール部
１４ａ  下ヒール部先端
１４ｂ  底面
１４ｃ  上面
１４ｄ  下ヒール先端部
１４ｅ  中間部
１４ｆ  底面
１４ｇ  後端ｓ
１５  ブリッジ
１５ａ  両側面
１５ｂ  先端
１５ｃ  リブ
２０、２０’  アッパー部
空間  Ｓ１
分岐位置  Ｐ１
【図１】
2007222380.tif 000003
【図２】
2007222380.tif 000004
【図３】
2007222380.tif 000005
【図４】
2007222380.tif 000006
【図５】
2007222380.tif 000007
【図６】
2007222380.tif 000008
【図７】
2007222380.tif 000009
【図８】
2007222380.tif 000010
【手続補正書】
【提出日】平成18年9月29日(2006.9.29)
【手続補正１】
【補正対象書類名】明細書
【補正対象項目名】００１３
【補正方法】変更
【補正の内容】
【００１３】
前記上下ヒール部のヒール側先端間を連結する第２ブリッジを設け、該第２ブリッジと前記分岐位置に連続して設ける前記ブリッジとの間に前記空間をあけてもよい。
特に、第２ブリッジを設ける場合は、分岐位置に設けるブリッジを第１ブリッジとし、該第１ブリッジと同様なトウ側に湾曲するアーチ状とするダブルアーチ状とすることが好ましい。
【手続補正２】
【補正対象書類名】明細書
【補正対象項目名】００２２
【補正方法】変更
【補正の内容】
【００２２】
上ヒール部１３は、分岐位置Ｐ１よりヒール側端に向けて所要角度で上方に傾斜させ、該上ヒール部１３の上面１３ｂをトウ側部１１の上面１１ｃに連続させて踵接触面としている。この踵接触面となる上面１３ｂには、図４（Ａ）に示すように、幅方向の中央が窪む円弧状とし踵に沿った形状としている。
一方、上ヒール部１３の底面１３ｃの分岐位置Ｐ１側は、前記ブリッジ１５の上側縁１５ａと連続させている。
【手続補正３】
【補正対象書類名】明細書
【補正対象項目名】００２３
【補正方法】変更
【補正の内容】
【００２３】
下ヒール部１４は、その底面１４ｂをトウ側部１１の底面１１ｂに連続させ、土踏まずと対応する領域では若干湾曲させて窪ませた部分１４ｅを設け、ヒール側先端では厚さを大として、トウ側部１１の底面の最下端面と略同一高さとした下ヒール先端部１４ｄを設けている。該下ヒール先端部１４ｄの底面１４ｆが接地面となる。
図３（Ｂ）に示すように、下ヒール部１４の幅Ｌ１は上ヒール部１３の幅Ｌ２よりも小とし、前記分岐位置Ｐ１側の幅を下ヒール部１４の幅の最大幅として、前記中間部１４ｅにかけて幅を縮小している。該中間部１４ｅより下ヒール先端１４ａの幅を拡大させ下ヒール先端部１４ｄを形成している。前記下ヒール先端部１４ｄの幅は１５ｍｍ〜４０ｍｍの範囲としている。
【手続補正４】
【補正対象書類名】図面
【補正対象項目名】図１
【補正方法】変更
【補正の内容】
【図１】
2007222380.tif 000011